(57)【要約】【課題】ランプの寿命が長く発熱量を抑え、瞬時に点灯して消費電流も少ない読書灯として快適に使用できる照明器具ユニットを備えた病室用壁面設備を提供する。【解決手段】ナースコール・医療ガスアウトレット・コンセントを備えた病室のベッド際壁面に設置される壁面ユニットに複数の発光ダイオードが直下又は遠方に照射できるように斜め方向及び下方向に２列配列された横長の照明ユニットを脱着自在に設け、照明ユニットの発光ダイオード前方に照射側に突出する断面略三角形状の横長の集光板を両端で照明ユニットに軸支して水平軸回りに傾動させて照射方向を調整できるようにした。【選択図】          図３
2004154372.tif 000002
【特許請求の範囲】
【請求項１】
ナースコール・医療ガスアウトレット・コンセントを備えた病室のベッド際壁面に設置される壁面ユニットに複数の発光ダイオードが配列された横長の照明ユニットを設けた病室用壁面設備。
【請求項２】
照明ユニットを壁面ユニットに脱着自在に設けた請求項１記載の病室用壁面設備。
【請求項３】
照明ユニットを壁面ユニットに左右方向へスライド自在に設けた請求項１又は２記載の病室用壁面設備。
【請求項４】
壁面ユニットの上面に長手両側でベアリングを支持できる下レールを左右方向に沿って取り付け、照明ユニットの下面にベアリングを長手両側に保持した上レールを左右方向に沿って取り付け、上レールのベアリングを下レールの長手両側で支持して照明ユニットを左右方向へスライドできるようにした請求項３記載の病室用壁面設備。
【請求項５】
照明ユニットの発光ダイオード前方に横長の集光板を発光ダイオードの配列方向に沿って設けた請求項１〜４いずれか記載の病室用壁面設備。
【請求項６】
集光板が照射側に突出する断面略三角形状で、両端を照明ユニットに軸支して水平軸回りに傾動させて照射方向を調整できるようにした請求項５記載の病室用壁面設備。
【請求項７】
発光ダイオードを斜め方向及び下方向に２列設け、直下又は遠方に照射できるようにした請求項１〜６いずれか記載の病室用壁面設備。
【請求項８】
複数の発光ダイオードを全灯又は部分的な点灯に切り換えるスイッチを設けた請求項１〜７いずれか記載の病室用壁面設備。
【発明の詳細な説明】
【０００１】
【発明の属する技術分野】
本発明は、病院や老健施設などのベッド際壁面に設置される病室用壁面設備に関し、詳しくは発光ダイオードを使用した照明ユニットの技術に関する。
【０００２】
【従来の技術】
従来、病室のベッドで読書などを行なう場合は、アーム型照明器具（白熱ランプ）と壁面ユニットに蛍光ランプを組込んで使用するタイプがある。ところで、各ランプの寿命は、白熱ランプ１５００時間、蛍光ランプ９０００時間で寿命が比較的短く、ランプからは白熱があり触ると火傷の危険性があった。また、ランプ交換は切電後ランプが冷えて行う必要があり、点灯時の消費電流も一般的に白熱ランプ６０Ｗで０．６Ａ、蛍光ランプ２０Ｗで０．３６Ａ必要であった。さらに蛍光ランプでは点灯に時間を要するとともに点灯中はちらつく問題もあった。
【０００３】
【発明が解決しようとする課題】
本発明が解決しようとする課題は、従来のこれらの問題点を解消し、ランプの寿命が長く発熱量を抑え、瞬時に点灯して消費電流も少ない読書灯として快適に使用できる照明ユニットを備えた病室用壁面設備を提供することにある。
【０００４】
【課題を解決するための手段】
かかる課題を解決した本発明の構成は、
１）  ナースコール・医療ガスアウトレット・コンセントを備えた病室のベッド際壁面に設置される壁面ユニットに複数の発光ダイオードが配列された横長の照明ユニットを設けた病室用壁面設備
２）  照明ユニットを壁面ユニットに脱着自在に設けた前記１）記載の病室用壁面設備
３）  照明ユニットを壁面ユニットに左右方向へスライド自在に設けた前記１）又は２）記載の病室用壁面設備
４）  壁面ユニットの上面に長手両側でベアリングを支持できる下レールを左右方向に沿って取り付け、照明ユニットの下面にベアリングを長手両側に保持した上レールを左右方向に沿って取り付け、上レールのベアリングを下レールの長手両側で支持して照明ユニットを左右方向へスライドできるようにした前記３）記載の病室用壁面設備
５）  照明ユニットの発光ダイオード前方に横長の集光板を発光ダイオードの配列方向に沿って設けた前記１）〜４）いずれか記載の病室用壁面設備
６）  集光板が照射側に突出する断面略三角形状で、両端を照明ユニットに軸支して水平軸回りに傾動させて照射方向を調整できるようにした前記５）記載の病室用壁面設備
７）  発光ダイオードを斜め方向及び下方向に２列設け、直下又は遠方に照射できるようにした前記１）〜６）いずれか記載の病室用壁面設備
８）  複数の発光ダイオードを全灯又は部分的な点灯に切り換えるスイッチを設けた前記１）〜７）いずれか記載の病室用壁面設備
にある。
【０００５】
【作用】
本発明によれば、ランプの寿命が長いからランプ交換の頻度と費用を抑制でき、ランプの発熱が少ないため冷房費が抑制されるとともにランプ表面を触っても火傷の危険性がなく、消費電力が小さい。
【０００６】
【発明の実施の形態】
本発明の照明ユニットは脱着自在あるいは左右へスライド自在にして使い易くする。発光ダイオードの前方には集光性のあるアクリル樹脂からなる集光板を取り付けると、必要な光量を確保しながら特有の輝度（グレアー）を抑制できる効果がある。その集光板は両端にピンを打ち込んで水平軸回りに傾動させるようにすると、照射方向を容易に微調整できる。
【０００７】
照明ユニットの表面にはランプ切換スイッチを設けて全灯・部分灯・消灯の切り換えができるようにする。また、リモコン用の赤外線受光部を表面に取り付け、ワイヤレスのリモコンで全灯・部分灯・消灯の切り換えができるようにしてもよい。なお、リモコンは同じ病室の照明ユニットを誤作動させないよう周波数を変えて使用する。
【０００８】
以下、本発明の各実施例を図面に基づいて具体的に説明する。
【０００９】
【実施例】
実施例１：図１〜５に示す実施例１は、照明ユニットを壁面ユニットに脱着自在に取り付けた病室用壁面設備の例である。図１は実施例１の病室用壁面設備の正面図、図２は実施例１の病室用壁面設備の平面図、図３は図１の内部を省略したＡ−Ａ断面図、図４は図１の内部を省略したＢ−Ｂ断面図、図５は実施例１の照明ユニットの脱着を示す説明図である。
【００１０】
図中、１は照明ユニット、２はカバー、２ａは開口部、３は発光ダイオード、４は回路基板、４ａは取り付け金具、５は電子トランス、６は集光板、７は切換スイッチ、８は電源コード、８ａはプラグ、９は脱着ピン、１０は壁面ユニット、１１はケース、１２はピン受け穴、１３は照明用コンセント、１４はスイッチ、１５はアース付きダブルコンセント、１６は医療用アース端子、１７はナースコール、１８は医療ガスアウトレット、Ｗは壁面である。
【００１１】
照明ユニット１は、薄い鋼材・アルミ材又は樹脂からなる横長且つ断面略三角形状で前方斜め下方に開口部２ａが形成されたカバー２の内部に直下及び斜め方向に２列配列した多数の発光ダイオード３及び電子トランス５を設けた回路基板４をＬ字状の取り付け金具４ａで発光ダイオード３が照明カバー２の開口部２ａに向くように取り付け、同開口部２ａにアクリル樹脂からなる細長で且つ断面三角形の集光板６の両端を上下角調整自在に軸支し、照明カバー２の前面左側に全灯・部分灯・消灯を切り換える切換スイッチ７を取り付け、回路基板４からプラグ８ａを備えたカール状の電源コード８を外側に設け、照明カバー２の両側に脱着ピン９を下方に突設して構成している。
【００１２】
壁面ユニット１０は、薄い鋼材・アルミ材又は樹脂からなる横長で且つ上面が傾斜したケース１１の上両側に前記照明ユニット１の脱着ピン９を嵌挿するピン受け穴１２を設け、ケース１１の正面左側に前記照明ユニット１のプラグ８ａを差し込んで電気を供給する照明用コンセント１３とその給電のＯＮ・ＯＦＦを切り換えるスイッチ１４を設け、その横に所定の定格出力以内で多目的に使用できるアース付きダブルコンセント１５及び医療用アース端子１６を設け、ケース１１の正面中央と右側にナースコール１７と医療ガスアウトレット１８をそれぞれ設けて壁面Ｗに設置している。
【００１３】
そして、図５に示すように壁面ユニット１０の上両側のピン受け穴１２に照明ユニット１の脱着ピン９を嵌挿して装着し、電源コード８のプラグ８ａを照明用コンセント１３に差し込んでスイッチ１４をＯＮすることで給電可能状態にし、患者が読書等を行う際に照明ユニット１の切換スイッチ７を操作して使用し、あるいは就寝時に切換スイッチ７で部分灯に切り換えて使用する。
【００１４】
実施例１はこのように構成したから、発光ダイオードの寿命が長いことで交換の頻度が低減して費用の抑制ができる。また、発熱が少ないため冷房費が抑制され、表面を触っても火傷の危険性がなく安全で、消費電力も小さく環境にやさしいものとなる。さらに、集光板を組み込んでいるから、読書灯として求められる光量を確保できるとともに特有の輝度（グレアー）を抑制して目に優しい照明にできる。
【００１５】
図６に示すのは、照明ユニットをベッドの幅より長く形成し、発光ダイオードの点灯範囲を切り換えて患者又は医療機器それぞれに照射できるようにした実施例１の他の例である。図６は実施例１の他の例の病室用壁面設備の使用状態を示す説明図である。図中、Ｂはベッド、Ｈは患者、Ｋはカーテン、Ｍは医療機器である。
【００１６】
実施例１の他の例は、照明ユニット１がカーテンＫで区画された空間幅に渡る長さに形成されており、配列される発光ダイオードの点灯範囲を図示しないスイッチで左右等分した範囲に切り換えて照射できるようにしているものである。従って、図６（ａ）に示すように患者Ｈが読書等を行うときは左側を点灯するように切り換え、医療機器Ｍを操作するときは右側を点灯するように切り換えて使用できる。その他、符号、構成は実施例１と同じである。
【００１７】
実施例２：図７〜１０に示す実施例２は、照明ユニットをスライドレールを介して壁面ユニットに左右方向へスライド自在に設けた病室用壁面設備の例である。図７は実施例２の病室用壁面設備の正面図、図８は実施例２の病室用壁面設備の平面図、図９は図７の内部を省略したＡ−Ａ断面図、図１０は実施例２の病室用壁面設備の使用状態を示す説明図である。図中、１９は下レール、２０はビス、２１はベアリング、２２は上レールである。
【００１８】
実施例２では、図７〜９に示すように壁面ユニット１０のケース１１上端に長手方向両側でベアリング２１を支持する鋼製の下レール１９をビス２０でケース１１の長手方向に沿って螺着し、照明ユニット１の後側下面に長手方向両側でベアリング２１を保持した前記下レール１９と対となる形状の鋼製の上レール２２を照明ユニット１の長手方向に沿って固着し、下レール１９の両側にベアリング２１を載置して装着し、照明ユニット１が壁面ユニット１０上を左右方向へスライド自在に構成している。
【００１９】
図１０に示すように、病室用壁面設備がカーテンＫで区画された各患者ＨのベッドＢの枕元際壁面Ｗにそれぞれ取り付けられている。左側では患者Ｈが例えば読書等を行うときに照明ユニット１を患者Ｈ側へスライドして読書灯等として使用できるようにし、右側では照明ユニット１を医療機器Ｍ側へスライドして機器の操作ができるようにしている。従って、使用者が使用し易い最適な位置に容易に調整できるようになる。その他、符号、構成は実施例１と同じである。
【００２０】
図１１に示すのは、照明ユニットにワイヤレスのリモコンの赤外線受光部を設け、点灯・部分灯・消灯の切り換えをリモコンで遠隔操作できるようにした実施例２の他の例である。図１１は実施例２の他の例の病室用壁面設備の内部を省略した断面図である。図中、２３は受光部、２４はリモコン、２４ａは発光部である。
【００２１】
実施例２の他の例では、図１１に示すように照明ユニット１のカバー２前面にリモコン２４の発せられた赤外線を受光して点灯・部分灯・消灯を行う図示しない所要の回路に信号を送る受光部２３を取り付けている。従って、使用者は離れた位置からリモコン２４で容易に点灯・部分灯・消灯の切り換え操作を行うことができる。この例は特にベッドから容易に起き上がることが難しい患者に好ましく提供できるものである。その他、符号、構成は実施例２と同じである。
【００２２】
【発明の効果】
以上説明したように、本発明によればランプの寿命が長く発熱量を抑え、瞬時に点灯して消費電流も少ない快適に使用し得る照明ユニットを備えた病室用壁面設備を提供できる。
【図面の簡単な説明】
【図１】実施例１の病室用壁面設備の正面図である。
【図２】実施例１の病室用壁面設備の平面図である。
【図３】図１の内部を省略したＡ−Ａ断面図である。
【図４】図１の内部を省略したＢ−Ｂ断面図である。
【図５】実施例１の照明ユニットの脱着を示す説明図である。
【図６】実施例１の他の例の病室用壁面設備の使用状態を示す説明図である。
【図７】実施例２の病室用壁面設備の正面図である。
【図８】実施例２の病室用壁面設備の平面図である。
【図９】図７の内部を省略したＡ−Ａ断面図である。
【図１０】実施例２の病室用壁面設備の使用状態を示す説明図である。
【図１１】実施例２の他の例の病室用壁面設備の内部を省略した断面図である。
【符号の説明】
１  照明ユニット
２  カバー
３  発光ダイオード
４  回路基板
４ａ  取り付け金具
５  電子トランス
６  集光板
７  切換スイッチ
８  電源コード
８ａ  プラグ
９  脱着ピン
１０  壁面ユニット
１１  ケース
１２  ピン受け穴
１３  照明用コンセント
１４  スイッチ
１５  アース付きダブルコンセント
１６  医療用アース端子
１７  ナースコール
１８  医療ガスアウトレット
１９  下レール
２０  ビス
２１  ベアリング
２２  上レール
２３  受光部
２４  リモコン
２５  発光部
Ｂ  ベッド
Ｈ  患者
Ｋ  カーテン
Ｍ  医療機器
Ｗ  壁面
【図１】
2004154372.tif 000003
【図２】
2004154372.tif 000004
【図３】
2004154372.tif 000005
【図４】
2004154372.tif 000006
【図５】
2004154372.tif 000007
【図６】
2004154372.tif 000008
【図７】
2004154372.tif 000009
【図８】
2004154372.tif 000010
【図９】
2004154372.tif 000011
【図１０】
2004154372.tif 000012
【図１１】
2004154372.tif 000013